【手続補正書】
【提出日】平成20年9月25日(2008.9.25)
【手続補正１】
【補正対象書類名】明細書
【補正対象項目名】特許請求の範囲
【補正方法】変更
【補正の内容】
【特許請求の範囲】
【請求項１】  回収した使用済み遊技機の識別情報とその使用済み遊技機の提供業者の情報とを入力する第１入力手段と、
その第１入力手段により入力された各情報を記憶する記憶手段と、
使用済み遊技機の買取業者から示される使用済み遊技機の買取価格を入力する第２入力手段と、
その第２入力手段によって入力された使用済み遊技機の買取価格と前記記憶手段に記憶される回収した使用済み遊技機の各情報とに基づいて、回収した使用済み遊技機の提供業者および買取業者毎に、その使用済み遊技機の売買金額をそれぞれ集計する集計手段と、
その集計手段によりそれぞれ集計された売買金額を対応する前記提供業者および買取業者へそれぞれ通知する通知手段とを備えていることを特徴とする使用済み遊技機の買取決算システム。
【請求項２】  前記使用済み遊技機は、その使用済み遊技機を一時的に保管する回収センターを介して前記提供業者から前記買取業者へ運送されるものであり、
回収した使用済み遊技機を前記提供業者から前記回収センターへ運送する運送業者の情報およびその使用済み遊技機を前記回収センターから買取業者へ運送する運送業者の情報を入力する第３入力手段を備え、
前記集計手段は、その第３入力手段によって入力された運送業者の情報と前記第２入力手段によって入力された使用済み遊技機の買取価格と前記記憶手段に記憶される回収した使用済み遊技機の各情報とに基づいて、回収した使用済み遊技機の買取業者毎にその使用済み遊技機の運送料金をも含めた売買金額を集計するものであり、
前記通知手段は、その集計手段により集計された運送料金をも含めた売買金額を、対応する使用済み遊技機の買取業者へそれぞれ通知するものであることを特徴とする請求項１記載の使用済み遊技機の買取決算システム。
【請求項３】  前記集計手段は、前記第３入力手段によって入力された運送業者の情報と前記記憶手段に記憶される回収した使用済み遊技機の各情報とに基づいて、使用済み遊技機の運送業者毎に、その使用済み遊技機の運送料金を前記買取業者単位で集計するものであり、
前記通知手段は、前記集計手段により前記買取業者単位で集計された運送料金を対応する運送業者へそれぞれ通知するものであることを特徴とする請求項２記載の使用済み遊技機の買取決算システム。
【請求項４】  前記買取価格はネットワーク回線を通じて接続された買取業者の端末装置から出力され前記第２入力手段に入力されることを特徴とする請求項１から３のいずれか使用済み遊技機の買取決算システム。
【手続補正２】
【補正対象書類名】明細書
【補正対象項目名】０００７
【補正方法】変更
【補正の内容】
【０００７】
請求項１記載の使用済み遊技機の買取決算システムによれば、第１入力手段によって、回収した使用済み遊技機の識別情報とその使用済み遊技機の提供業者の情報とが入力され、記憶手段によってそれら各情報が記憶される。また、第２入力手段によって、使用済み遊技機の買取業者から示される買取価格が入力され、集計手段によって、第２入力手段によって入力された使用済み遊技機の買取価格と記憶手段に記憶される回収した使用済み遊技機の各情報とに基づき、回収した使用済み遊技機の提供業者および買取業者毎に、その使用済み遊技機の売買金額がそれぞれ集計される。集計手段によってそれぞれ集計された売買金額は、通知手段によって、対応する提供業者および買取業者へそれぞれ通知される。
請求項２記載の使用済み遊技機の買取決算システムは、請求項１記載の使用済み遊技機の買取決算システムにおいて、前記使用済み遊技機は、その使用済み遊技機を一時的に保管する回収センターを介して前記提供業者から前記買取業者へ運送されるものであり、回収した使用済み遊技機を前記提供業者から前記回収センターへ運送する運送業者の情報およびその使用済み遊技機を前記回収センターから買取業者へ運送する運送業者の情報を入力する第３入力手段を備え、前記集計手段は、その第３入力手段によって入力された運送業者の情報と前記第２入力手段によって入力された使用済み遊技機の買取価格と前記記憶手段に記憶される回収した使用済み遊技機の各情報とに基づいて、回収した使用済み遊技機の買取業者毎にその使用済み遊技機の運送料金をも含めた売買金額を集計するものであり、前記通知手段は、その集計手段により集計された運送料金をも含めた売買金額を、対応する使用済み遊技機の買取業者へそれぞれ通知するものである。
請求項３記載の使用済み遊技機の買取決算システムは、請求項２記載の使用済み遊技機の買取決算システムにおいて、前記集計手段は、前記第３入力手段によって入力された運送業者の情報と前記記憶手段に記憶される回収した使用済み遊技機の各情報とに基づいて、使用済み遊技機の運送業者毎に、その使用済み遊技機の運送料金を前記買取業者単位で集計するものであり、前記通知手段は、前記集計手段により前記買取業者単位で集計された運送料金を対応する運送業者へそれぞれ通知するものである。
請求項４記載の使用済み遊技機の買取決算システムは、請求項１から３のいずれか使用済み遊技機の買取決算システムにおいて、前記買取価格はネットワーク回線を通じて接続された買取業者の端末装置から出力され前記第２入力手段に入力される。
【手続補正３】
【補正対象書類名】明細書
【補正対象項目名】００６５
【補正方法】変更
【補正の内容】
【００６５】
【発明の効果】  請求項１記載の使用済み遊技機の買取決算システムによれば、使用済み遊技機の買取価格と回収した使用済み遊技機の各情報とに基づいて、回収した使用済み遊技機の提供業者および買取業者毎に、その使用済み遊技機の売買金額がそれぞれ集計され、対応する提供業者および買取業者へそれぞれ通知される。よって、かかる通知を通じて、使用済み遊技機の提供業者および買取業者は、複数の買取業者へ回収された又は複数の提供業者から回収された使用済み遊技機の売買金額の合計を容易に把握することができる。従って、買取業者は、かかる通知に基づいて、使用済み遊技機の売買代金を、回収センターを経由することなく、その使用済み遊技機の提供業者に対して直接支払うことができる。即ち、使用済み遊技機の売買代金の決済を、その売買代金を回収センターを経由させることなく行うことができるという効果がある。
請求項２記載の使用済み遊技機の買取決算システムによれば、請求項１記載の使用済み遊技機の買取決算システムの奏する効果に加え、回収した使用済み遊技機の買取業者毎にその使用済み遊技機の運送料金をも含めた売買金額が集計され、その運送料金をも含めた売買金額が対応する使用済み遊技機の買取業者へそれぞれ通知される。よって、買取業者は、使用済み遊技機自体の売買金額の合計のみならず、その使用済み遊技機の運送料金をも含めた売買金額の合計を把握した上で決済することができるという効果がある。
請求項３記載の使用済み遊技機の買取決算システムによれば、請求項２記載の使用済み遊技機の買取決算システムの奏する効果に加え、買取業者単位で集計された運送料金が対応する運送業者へそれぞれ通知される。よって、運送業者は、かかる通知に基づいて、複数の提供業者から回収センターへ運送した使用済み遊技機の運送料金の合計および回収センターから複数の買取業者へ運送した使用済み遊技機の運送料金の合計を買取業者単位で把握することができるという効果がある。
請求項４記載の使用済み遊技機の買取決算システムによれば、請求項１から３のいずれか記載の使用済み遊技機の買取決算システムの奏する効果に加え、ネットワーク回線を通じて接続された買取業者の端末装置から買取価格を出力することができるので、買取価格の変更を容易に行うことができるという効果がある。
【手続補正４】
【補正対象書類名】明細書
【補正対象項目名】符号の説明
【補正方法】変更
【補正の内容】
【符号の説明】
１        管理コンピュータ（管理ＰＣ）
２        ＱＲコードリーダ
５        ＰＣ本体
５３ａ    第１回収メモリ（記憶手段）
５３ｂ    第２回収メモリ
５３ｃ    決済期日メモリ
１０      ハンディターミナル（第１入力手段、第３入力手段）
１１ｂ１  回収メモリ
Ｈ        遊技場（ホール）（使用済み遊技機の提供者）
ＫＣ      回収センター
Ｍ        製造業者（使用済み遊技機の買取業者）
Ｐ        使用済み遊技盤（使用済み遊技機）
ＱＲ      ＱＲコードが印刷されたシール
Ｕ        運送業者